(57)【要約】【課題】本発明は、ＰＬＣを使用したプリンタ装置等の印刷装置に関し、特に印刷装置に印刷データが供給された場合、印刷装置本体に電源を供給し、それ以外の期間は印刷装置本体への電源供給を停止することにより、大幅な電力削減を実現するものである。【解決手段】印刷装置であって、電力線を介して供給される印刷データを受信する受信手段と、この受信手段で受信した印刷データを通信線を介して印刷装置本体に送信できるデータに変換する変換手段と、この変換手段によって変換された印刷データに基づいて記録媒体に印刷処理を行う印刷処理手段と、上記電力線と印刷処理手段との間に配設され、電力線からの交流電源を前記印刷処理手段に供給する切替手段と、上記印刷データが前記受信手段に入力すると、上記切替手段を切り替え、上記印刷処理手段に電源供給を行い、上記印刷処理手段が印刷処理を完了すると前記切替手段を切り替え、上記印刷処理手段への電源供給を停止する制御手段とを有することを特徴とする。  【選択図】  図１
2011051095.tif 000002
【特許請求の範囲】
【請求項１】
電力線を介して供給される印刷データを受信する受信手段と、
該受信手段で受信した印刷データを通信線を介して印刷装置本体に送信できるデータに変換する変換手段と、
該変換手段によって変換された印刷データに基づいて記録媒体に印刷処理を行う印刷処理手段と、
前記電力線と印刷処理手段との間に配設され、電力線からの交流電源を前記印刷処理手段に供給する切替手段と、
前記印刷データが前記受信手段に入力すると、前記切替手段を切り替え、前記印刷処理手段に電源供給を行い、前記印刷処理手段が印刷処理を完了すると前記切替手段を切り替え、前記印刷処理手段への電源供給を停止する制御手段と、
を有することを特徴とする印刷装置。  
【請求項２】
前記印刷処理手段の印刷処理の完了は、タイマによって行うことを特徴とする請求項１に記載の印刷装置。
【請求項３】
前記受信手段、変換手段、切替手段、及び制御手段は、前記印刷処理手段に対して別体で構成されていることを特徴とする請求項１、又は２に記載の印刷装置。
【請求項４】
電力線を介して供給される印刷データを受信する受信手段と、
該受信手段で受信した印刷データを通信線を介して送信できるデータに変換する変換手段と、
該変換手段によって変換された印刷データを印刷処理手段に送信する送信手段と、
前記電力線と印刷処理手段との間に配設され、電力線からの交流電源を前記印刷処理手段に供給する切替手段と、
前記印刷データが前記受信手段に入力すると、前記切替手段を切り替え、前記印刷処理手段に電源供給を行い、前記印刷処理手段による記録媒体への印刷処理が完了すると、前記切替手段を切り替え、前記印刷処理手段への電源供給を停止する制御手段と、
を有することを特徴とする電源制御装置。  
【請求項５】
電力線を介して供給される印刷データを受信する受信処理と、
受信した印刷データを通信線を介して送信できるデータに変換する変換手段と、
該変換手段によって変換された印刷データを印刷装置本体に送信する送信処理と、
前記電力線と印刷装置本体との間に配設され、電力線からの交流電源を前記印刷装置本体に供給する切替手段と、
前記印刷データが前記受信手段に入力すると、前記切替手段を切り替え、前記印刷装置本体に電源供給を行い、前記印刷装置本体が印刷処理を完了すると前記切替手段を切り替え、前記印刷装置本体への電源供給を停止する制御処理と、
を行うことを特徴とする印刷方法。  
【請求項６】
電力線を介して供給される印刷データを受信する受信処理と、
受信した印刷データを通信線を介して送信できるデータに変換する変換手段と、
該変換手段によって変換された印刷データを印刷処理手段に送信する送信処理と、
前記電力線と印刷処理手段との間に配設され、電力線からの交流電源を前記印刷処理手段に供給する切替処理と、
前記印刷データが前記受信手段に入力すると、前記印刷処理手段に電源供給を行い、前記印刷処理手段による記録媒体への印刷処理が完了すると、前記印刷処理手段への電源供給を停止する制御処理と、
を行うことを特徴とする電源制御方法。 
【発明の詳細な説明】
【技術分野】
【０００１】
本発明は、ＰＬＣ（Power Line Communication）を使用したプリンタ装置等の印刷装置に関する。
【背景技術】
【０００２】
今日、ＬＡＮケーブルを容易に追加・設置できない環境に対して、電力線を使用したデータ伝送方法であるＰＬＣ通信が注目されている。例えば、住宅の１階と２階のように建築後、ＬＡＮケーブルを設置することが困難な場合でも、既に住宅に配線されている電源線を利用し、部屋の電源コンセントにＰＬＣアダプタを接続するだけで、１階と２階に設置された通信機器間での通信を可能とするものである。
図８及び図９は、ＰＬＣアダプタをパーソナルコンピュータ（ＰＣ）とプリンタ装置に適用した例を示すシステム構成図である。
【０００３】
図８は、パーソナルコンピュータ（ＰＣ）側のシステム構成を示し、プラグ５０及び５１は共に不図示の電源コンセントに接続され、電源コンセント上には５０Ｈｚ又は６０ＨｚのＡＣ１００Ｖ電力及び、これに２Ｍ〜３ＭＨｚのＰＬＣ信号が乗畳されたものが供給されている。プラグ５０はこのうちのＡＣ１００Ｖ電力を利用する為のものであり、プラグ５１はＰＬＣ信号を伝送する為のものである。プラグ５１にはＡＣ１００Ｖ電力とＰＬＣ信号が乗畳されたものが供給されるがＰＬＣアダプタ５２によりＰＬＣ信号のみが分離され利用される。
パーソナルコンピュータ（ＰＣ）とＰＬＣアダプタ５２間は比較的短いＬＡＮケーブル５３で接続されており、ＰＬＣアダプタ５２に供給されたＰＬＣ信号５４はＰＬＣアダプタ５２によってイーサネット（登録商標）信号に変換され、パーソナルコンピュータ（ＰＣ）に供給される。
【０００４】
一方、図９は、プリンタ装置側の構成を示すシステム構成図であり、前述と同様プラグ５５及び５６は共に不図示の電源コンセントに接続され、電源コンセント上には５０Ｈｚ又は６０ＨｚのＡＣ１００Ｖ電力及び、これに２Ｍ〜３ＭＨｚのＰＬＣ信号が乗畳されたものが供給されている。プラグ５５はこのうちのＡＣ１００Ｖ電力を利用する為のものであり、プラグ５６はＰＬＣ信号を伝送する為のものである。プラグ５６にはＡＣ１００Ｖ電力とＰＬＣ信号が乗畳されたものが供給されるがＰＬＣアダプタ５８によりＰＬＣ信号のみが分離され利用される。
プリンタ装置とＰＬＣアダプタ５８間も比較的短いＬＡＮケーブル５９で接続されており、ＰＬＣアダプタ５８に供給されたＰＬＣ信号５７はＰＬＣアダプタ５８によってイーサネット（登録商標）信号に変換され、プリンタ装置に供給される。
ところで、今日地球環境の保持が世界的に叫ばれ、地球温暖化防止会議を中心として温室効果ガスの排出規制が実現化に向かっている。このような状況において、プリンタ装置や複写機等の印刷装置においても、消費電力の削減を図ることが要望されている。
尚、特許文献１のネットワークシステムは、サーバと複数の端末装置で構成され、端末装置間の通信はサーバを介してのみ可能であり、サーバは送信端末より受信端末への発信要求及び通信データを受信して記憶し、受信端末からの受信要求に対応して、記憶した通信データを受信端末に送信する発明である。また、各端末装置は他の端末装置への発信要求がない場合、第１の制御回路により自己の動作状態を休眠状態に変更して消費電力を低減を図り、第２の制御回路により休眠状態から通常状態に変更されたことに応答して、サーバに受信要求を行う。
また、特許文献２は、画像形成装置内部に存在するモジュール間のデータ通信において、各モジュール間に接続された直流電線にデータを重畳することで、画像形成装置内の信号束線を削減する技術を開示する。
【先行技術文献】
【特許文献】
【０００５】
【特許文献１】特開２００５−７２９７０公報
【特許文献２】特開２００６−２５４２０１公報
【発明の開示】
【発明が解決しようとする課題】
【０００６】
しかしながら、上記特許文献１のネットワークシステムでは、自己の動作状態が休眠状態から通常状態に変更するまで、当該端末装置はデータを受信できない。したがって、端末装置がパーソナルコンピュータ（ＰＣ）とプリンタ装置である場合、パーソナルコンピュータ（ＰＣ）からの送信データに対して、プリンタ装置は即座にデータを受信することができない。また、特許文献１においては、端末装置の動作状態を休眠状態にすることによって省電力を図る発明であり、端末装置の電源自体をオフするような大幅な省電力を図る発明ではない。
【０００７】
また、特許文献２は、画像形成装置内の信号束線を削減する技術であり、直接印刷装置の省電力化に繋がるものではない。
【０００８】
そこで、本発明は上記課題を解決するため、印刷装置に印刷データが供給された場合、印刷装置本体に電源を供給し、それ以外の期間は印刷装置本体への電源供給を停止することにより、大幅な電力削減を図る印刷装置を提供するものである。
【課題を解決するための手段】
【０００９】
上記課題は第１の発明によれば、電力線を介して供給される印刷データを受信する受信手段と、該受信手段で受信した印刷データを通信線を介して印刷装置本体に送信できるデータに変換する変換手段と、該変換手段によって変換された印刷データに基づいて記録媒体に印刷処理を行う印刷処理手段と、前記電力線と印刷処理手段との間に配設され、電力線からの交流電源を前記印刷処理手段に切り替える切替手段と、前記印刷データが前記受信手段に入力すると、前記切替手段を切り替え、前記印刷処理手段に電源供給を行い、前記印刷処理手段が印刷処理を完了すると前記切替手段を切り替え、前記印刷処理手段への電源供給を停止する制御手段とを有する印刷装置を提供することによって達成できる。
【００１０】
また、上記課題は第２の発明によれば、前記印刷処理手段の印刷処理の完了は、タイマによる計数処理によって判断する印刷装置を提供することによって達成できる。
また、上記課題は第３の発明によれば、前記受信手段、変換手段、切替手段、及び制御手段は、前記印刷処理手段に対して別体で構成される印刷装置を提供することによって達成できる。
また、上記課題は第４の発明によれば、電力線を介して供給される印刷データを受信する受信手段と、該受信手段で受信した印刷データを通信線を介して送信できるデータに変換する変換手段と、該変換手段によって変換された印刷データを印刷処理手段に送信する送信手段と、前記電力線と印刷処理手段との間に配設され、電力線からの交流電源を前記印刷処理手段に供給する切替手段と、前記印刷データが前記受信手段に入力すると、前記切替手段を切り替え、前記印刷処理手段に電源供給を行い、前記印刷処理手段による記録媒体への印刷処理が完了すると、前記切替手段を切り替え、前記印刷処理手段への電源供給を停止する制御手段とを有する電源制御装置を提供することによって達成できる。
また、上記課題は第５の発明によれば、電力線を介して供給される印刷データを受信する受信処理と、受信した印刷データを通信線を介して送信できるデータに変換する変換処理と、該変換処理によって変換された印刷データを印刷装置本体に送信する送信処理と、前記電力線と印刷装置本体との間に配設され、電力線からの交流電源を前記印刷装置本体に供給する切替処理と、前記印刷データが前記受信手段に入力すると、前記切替手段を切り替え、前記印刷装置本体に電源供給を行い、前記印刷装置本体が印刷処理を完了すると前記切替手段を切り替え、前記印刷装置本体への電源供給を停止する制御処理とを行う印刷方法を提供することによって達成できる。
また、上記課題は第６の発明によれば、電力線を介して供給される印刷データを受信する受信処理と、受信した印刷データを通信線を介して送信できるデータに変換する変換処理と、該変換処理によって変換された印刷データを印刷処理手段に送信する送信処理と、前記電力線と印刷処理手段との間に配設され、電力線からの交流電源を前記印刷処理手段に供給する切替処理と、前記印刷データが前記受信手段に入力すると、前記印刷処理手段に電源供給を行い、前記印刷処理手段による記録媒体への印刷処理が完了すると、前記印刷処理手段への電源供給を停止する制御処理とを行う電源制御方法を提供することによって達成できる。
【発明の効果】
【００１１】
本発明では、ＰＬＣコントローラを用いてプリンタ装置の電力を制御することにより、プリンタ装置の省電力化を実現することができる。すなわち、ＰＬＣコントローラにプリンタ装置の印刷データが入力した場合だけ、プリンタ装置本体に電源を接続して印刷処理を行い、それ以外の場合はプリンタ装置本体への電源供給を停止することにより、大幅な電力削減を実現することである。
【図面の簡単な説明】
【００１２】
【図１】実施形態1のＰＬＣアダプタを内蔵したプリンタ装置のシステム構成図である。
【図２】実施形態1のＰＬＣコントローラの回路ブロック図である。
【図３】実施形態1の処理動作を説明するフローチャートである。
【図４】実施形態1の処理動作を説明するフローチャートである。
【図５】実施形態２のＰＬＣアダプタを使用したプリンタ装置のシステム構成図である。
【図６】実施形態２のＰＬＣコントローラの回路ブロック図である。
【図７】実施形態２の処理動作を説明するフローチャートである。
【図８】従来のＰＬＣアダプタをパーソナルコンピュータ（ＰＣ）に適用した例を示す図である。
【図９】従来のＰＬＣアダプタをプリンタ装置に適用した例を示す図である。
【発明を実施するための形態】
【００１３】
以下、本発明の実施の形態を図面に基づいて説明する。
（実施形態1）
図１は、本実施形態1のＰＬＣコントローラを内蔵したプリンタ装置のシステム構成図である。同図において、プリンタ装置１はプリンタ装置本体２、ＰＬＣコントローラ３、電源スイッチ（ＳＷ）４、及びリレー５で構成されている。また、プリンタ装置１にはプラグ６が接続され、プラグ６は不図示の電源コンセントに接続されている。このプラグ６には、電源供給用としてＡＣ１００Ｖが供給され、更にＰＬＣ信号もＡＣ１００Ｖに重畳されて供給される。
【００１４】
プリンタ装置本体２は不図示の画像形成部や、給紙部、用紙搬送部、定着部、排紙部等で構成され、プリンタ装置本体２への電源供給部２ａには上記リレー５が接続されている。また、リレー５はコイル５ａとスイッチ５ｂで構成され、ＰＬＣコントローラ３からの駆動信号によってコイル５ａに電流が流れ、スイッチ５ｂを切替え、プリンタ装置本体２への電源のオン、オフを行う。
また、リレー５とプラグ６間には前述の電源スイッチ（ＳＷ）４が接続され、この電源スイッチ（ＳＷ）４をオンすることによって、リレー５までの電源供給が行われる。
また、プリンタ装置本体２とＰＬＣコントローラ３間に信号線ａ、ｂが配線され、信号線ａには後述するレディ信号が流れ、信号線ｂにはイーサネット（登録商標）信号が流れる。また、ＰＬＣコントローラ３はプラグ６を介して供給されるＰＬＣ信号をイーサネット（登録商標）信号に変換し、プリンタ装置本体２から出力されたイーサネット（登録商標）信号をＰＬＣ信号に変換する。
【００１５】
図２は、上記ＰＬＣコントローラ３の具体的な回路ブロック図である。同図において、ＰＬＣコントローラ３は、ＣＰＵ８、ＩＰアドレス設定用のＥＥＰＲＯＭ９、ＭＡＣ（Media Access Control）部１０、ＰＨＹ（Physical Layer）部１１、ＡＣ−ＤＣ変換電源部１２、結合回路部１３、ＲＸフィルタ／ＴＸフィルタ／ＴＸアンプ部１４、ＡＤＣ（アナログ・デジタル・コンバータ）／ＤＡＣ（デジタル・アナログ・コンバータ）部１５で構成されている。
ＣＰＵ８は、本実施形態１のＰＬＣコントローラ３のシステム制御を行い、例えばワンチップＣＰＵであり、ＲＯＭ及びＲＡＭを内蔵する。また、ＩＰアドレス設定用のＥＥＰＲＯＭ９には、ＰＬＣコントローラ３のＩＰアドレスが記憶されている。
また、ＭＡＣ部１０は、ＰＬＣ変換処理の中心的役割を担う。データ伝送方式としては、ＯＦＤＭ（Orthogonal Frequency Division Multiplexing）を用いている。これは、直交周波数分割多重とも言われ、多数のサブキャリアを用意して、それぞれにデータを割り当てる方式である。
ＰＨＹ部１１は、イーサネット（登録商標）の物理層の処理を受け持ち、イーサネット（登録商標）の伝送に使われる電気信号を復調してデジタル信号に変換し、逆にデジタル信号を変調してイーサネット（登録商標）の電気信号に変換する処理を行う。
ＡＣ−ＤＣ変換電源部１２は、ＡＣ１００Ｖから、例えばＤＣ５Ｖ、ＤＣ３．３Ｖ、ＤＣ１．５Ｖ等の直流電圧を作成し、上記ＡＤＣ／ＤＡＣ部１５や、ＭＡＣ部１０、その他の回路に供給する。
また、結合回路部１３は、ＡＣ１００Ｖの電源から２Ｍ〜３０ＭＨｚのＰＬＣ信号を分離し、その逆にＡＣ１００ＶにＰＬＣ信号を重畳する処理を行う。また、ＲＸフィルタ／ＴＸフィルタ／ＴＸアンプ部１４は、アナログ信号の波形を整え、ＡＤＣ／ＤＡＣ部１５の前処理や後処理を行う回路であり、受信信号に含まれるノイズの軽減処理を行う。
ＡＤＣ／ＤＡＣ部１５は、デジタル信号をアナログ信号に変換し、アナログ信号をデジタル信号に変換する。
以上の構成において、以下に本例の処理動作を説明する。
図３及び図４は本例の処理動作を説明するフローチャートであり、図３はＰＬＣコントローラ３の処理動作を説明し、図４はプリンタ装置本体２の処理動作を説明する。
先ず、図３においてＰＬＣコントローラ３は初期設定処理を行い、前述のＥＥＰＲＯＭ９に予め設定されたＰＬＣコントローラ３のＩＰアドレス設定値を読み込む（ステップ（以下、Sで示す）１）。
【００１６】
次に、ＭＡＣ部１０から受信データを読み出し、自分宛の印刷データかどうかを解析する（Ｓ２）。尚、本例のプリンタ装置１には、自分宛の印刷データの他に、各種情報が送られてきており、印刷データでない場合（Ｓ３がＮＯ）、読み捨て、又はプリンタ装置本体２の代理応答を行う（Ｓ４）。例えば、ＬＡＮに繋がっている装置自体に対するブロードキャストコマンドであり、本プリンタ装置１には無関係なコマンド等の場合である。また、自己宛のコマンドであっても、例えばＡＲＰ要求（Address Resolution Protocol）、ＳＮＭＰ（Simple Network Management Protocol）或いはＩＣＭＰ（Internet Control Message Protocol）のような場合には、印刷データではないので、プリンタ装置本体２に代わって代理応答する。
一方、ＭＡＣ部１０からの受信データに印刷データが含まれている場合（Ｓ３がＹＥＳ）、最初のパケットを受信バッファにセーブすると共に、パーソナルコンピュータ（ＰＣ）からの送信を待たせる（Ｓ５）。すなわち、印刷データの最初のパケットをＣＰＵ８のＲＡＭにセーブすると共に、次のパケット（印刷データ）が送られてくることを防ぐ。
次に、ＣＰＵ８からリレー５のコイル５ａに対して駆動信号を出力し、コイル５ａを励磁し、スイッチ５ｂをオンする（Ｓ６）。この処理により、プリンタ装置本体２の電源入力部２ａにはプラグ６、電源スイッチ（ＳＷ）４、及びリレー５を介してＡＣ１００Ｖの電源供給が行われ、プリンタ装置本体２が駆動を開始する。その後、ＣＰＵ８はプリンタ装置本体２からレディ信号が供給されるのを待つ（Ｓ７、Ｓ８がＮＯ）。
一方、電源供給が行われたプリンタ装置本体２は、以後図４に示すフローチャートに従って、初期設定処理を行い（ステップ（以下、SＴで示す）１）、定着ヒータをオンにして不図示の定着器のウォームアップを行う（ＳＴ２）。そして、受信可能状態であるか判断する（ＳＴ３）。プリンタ装置本体２の定着器が加熱され、所定の温度に達するまで上記処理を繰り返し、プリンタ装置本体２の定着器が所定の温度に達すると（ＳＴ３がＹＥＳ）、レディ信号をＣＰＵ８（ＰＬＣコントローラ３）に出力する（ＳＴ４）。
前述のように、ＣＰＵ８はプリンタ装置本体２からのレディ信号の供給を待っており（Ｓ８）、ＣＰＵ８にレディ信号が入力すると（Ｓ８がＹＥＳ）、例えばＣＰＵ８のＲＡＭ（受信バッファ）に保存した最初のパケットを、ＭＡＣ部１０を介してプリンタ装置本体２に送信する（Ｓ９）。また、パーソナルコンピュータ（ＰＣ）に対して次のパケットを送信するよう要求を行う。
【００１７】
その後、ＰＬＣコントローラ３はパーソナルコンピュータ（ＰＣ）から全ての印刷データを受信し、プリンタ装置本体２に送信する（Ｓ１０）。
プリンタ装置本体２側ではＰＬＣコントローラ３から供給される印刷データを受け取り、印刷データのコマンド解析を行って描画データを作成し、不図示の用紙（記録媒体）に印刷処理を行う（ＳＴ５）。そして、用紙の排紙完了後、レディ信号をインアクティブ（Low）にする（ＳＴ６）。
一方、ＰＬＣコントローラ３（ＣＰＵ８）はプリンタ装置本体２からのレディ信号を読み込み、レディ信号が出力されているか判断し（Ｓ１２）、レディ信号が出力されないと（Ｓ１２がＮＯ）、ＣＰＵ８からのコイル５ａへの駆動信号の出力を停止し、スイッチ５ｂをオフする（Ｓ１３）。この処理によって、プリンタ装置本体２への電源供給は停止され、以後プリンタ装置本体２による電力消費を停止し、プリンタ装置１の電力消費を軽減することができる。
【００１８】
以上のように、本例によれば、印刷データがプリンタ装置１に供給された場合だけプリンタ装置１を駆動し、他の期間はプリンタ装置本体２への供給電源を完全に停止することができるので、印刷装置１の消費電力を大幅に軽減することができる。
尚、印刷完了後に直ちにレディ信号をインアクティブ（Low）にはせず、例えば数十秒経過後に、続く印刷データがないことを確認してからレディ信号をインアクティブ（Low）にするように制御する。この理由は、プリンタ装置本体２の電源が頻繁にオン、オフすることを防止し、複数項に渡る印刷において印刷時間の合計が長くなるのを防ぐためである。
【００１９】
（実施形態２）
次に、本発明の実施形態２について説明する。
本例はＰＬＣアダプタを内蔵するのではなく、プリンタ装置本体と別体とした構成の印刷装置の例である。したがって、前述の実施形態と同じ部分には同じ番号を付して説明する。以下、具体的に説明する。
【００２０】
図５は、本例のプリンタ装置２１を説明するシステム構成図である。本例においては、上記のようにプリンタ装置本体２２とＰＬＣアダプタ２３は別体であり、プリンタ装置本体２２とＰＬＣアダプタ２３は電源線３０とＬＡＮケーブル３１で接続されている。また、電源線３０にはプラグ３２が設けられ、このプラグ３２をＰＬＣアダプタ２３側に設けられた電源コンセント３３に接続してＰＬＣアダプタ２３からプリンタ装置本体２２に電力供給が行われる。また、ＬＡＮケーブル３１はＰＬＣアダプタ２３側のコネクタ３５に接続されている。
尚、ＰＬＣアダプタ２３は前述と同様、ＰＬＣコントローラ３、電源スイッチ（ＳＷ）４、及びリレー５で構成され、ＰＬＣアダプタ２３にはプラグ６が接続され、プラグ６は不図示の電源コンセントに接続されている。
図６はＰＬＣコントローラ３の具体的な構成であり、前述の図２と同様、ＣＰＵ８、ＩＰアドレス設定用のＥＥＰＲＯＭ９、ＭＡＣ部１０、ＰＨＹ部１１、ＡＣ−ＤＣ変換電源部１２、結合回路部１３、ＲＸフィルタ／ＴＸフィルタ／ＴＸアンプ部１４、ＡＤＣ／ＤＡＣ部１５で構成され、更に本例ではタイマ設定手段３６が配設されている。このタイマー設定手段３６には、オンタイマとオフタイマが設定されており、詳しくは後述する処理を行う。
【００２１】
以上の構成において、以下に本例の処理動作を説明する。
図７は、本例の処理動作を説明するフローチャートである。前述の実施形態1と同様、先ずＰＬＣアダプタ７は初期設定処理を行い、前述のＥＥＰＲＯＭ９に予め設定されたＰＬＣコントローラ３のＩＰアドレス設定値を読み込む（ステップ（以下、SＴＰで示す）１）。
【００２２】
次に、ＭＡＣ部１０から受信データを読み出し、自分宛の印刷データかどうかを解析し（ＳＴＰ２）、自分宛の印刷データではない場合（ＳＴＰ３がＮＯ）、読み捨て、又はプリンタ装置本体２の代理応答を行う（ＳＴＰ４）。
一方、受信データに印刷データが含まれている場合（ＳＴＰ３がＹＥＳ）、最初のパケットを受信バッファにセーブすると共に、パーソナルコンピュータ（ＰＣ）からの送信を待たせる（ＳＴＰ５）。
次に、ＣＰＵ８からリレー５のコイル５ａに対して駆動信号を出力し、コイル５ａを励磁し、スイッチ５ｂをオンする（ＳＴＰ６）。この処理により、プリンタ装置本体２の電源入力部２ａにはプラグ６、電源スイッチ（ＳＷ）４、及びリレー５を介してＡＣ１００Ｖの電源供給が行われ、プリンタ装置本体２２が駆動を開始する。
そして、電源供給が行われたプリンタ装置本体２２は、前述と同様初期設定処理を行い、定着ヒータをオンにして定着器のウォームアップを行う。この間、前述のタイマ設定手段３６を駆動し、オンタイマがタイムアップするまでの時間を待つ（ＳＴＰ７）。
その後、タイマー設定手段３６がタイムアップすると、ＣＰＵ８の受信バッファに保存した印刷データをＭＡＣ部１０を介してプリンタ装置本体２２に送信し、パーソナルコンピュータ（ＰＣ）に対して次のパケットを送信するよう要求を行う（ＳＴＰ８）。
その後、ＰＬＣコントローラ３はパーソナルコンピュータ（ＰＣ）から印刷データを受信し、コネクタ３５を介してプリンタ装置本体２２に全ての印刷データを送信する（ＳＴＰ９）。
その後、タイマー設定手段３６にセットされたオフタイマのタイムアップを待つ（ＳＴＰ１０）。このオフタイマには、プリンタ装置本体２２が駆動を開始して印刷処理を行い、印刷処理が完了するであろう十分な時間がセットされており、オフタイマがタイムアップすると、ＣＰＵ８からのコイル５ａへの駆動信号の出力を停止し、スイッチ５ｂをオフする（ＳＴＰ１１）。この処理によって、プリンタ装置本体２２への電源供給は停止され、以後プリンタ装置本体２２による電力消費を無くし、プリンタ装置１の電力消費を軽減する。
【００２３】
以上のように、本例によっても、印刷データがプリンタ装置１に供給された場合だけプリンタ装置２１を駆動し、他の期間はプリンタ装置本体２２への供給電源を完全に停止するので、印刷装置２１の消費電力を大幅に削減することができる。
尚、プリンタ装置本体２２が初期設定を完了し、データ受信が可能になるための時間は、使用するプリンタ装置の機種や特性により決まる。したがって、上記オンタイマの設定時間は、使用するプリンタ装置によって変更できるようにする。すなわち、電源オンからデータ受信可能になるまでの時間が短いプリンタ装置を使用する場合は短い時間に、その時間が長いプリンタ装置を使用する場合は長い時間に、オンタイマの設定時間をセットする。
また、印刷データをプリンタ装置に送信してから用紙の排出が完了するための必要な時間も、使用するプリンタ装置の機種や特性により決まる。したがって、オフタイマの設定時間についても、使用するプリンタ装置によって可変できるように設定する。
【００２４】
尚、上記実施形態２のＰＬＣアダプタを別体とした場合には、プリンタ装置自体には変更を加える必要がないので、既存のプリンタ装置をそのまま使用できる利点がある。
【符号の説明】
【００２５】
１・・・プリンタ装置
２・・・プリンタ装置本体
３・・・ＰＬＣコントローラ
４・・・電源スイッチ（ＳＷ）
５・・・リレー
５ａ・・コイル
５ｂ・・スイッチ
６・・・プラグ
８・・・ＣＰＵ
９・・・ＩＰアドレス設定用ＥＥＰＲＯＭ
１０・・ＭＡＣ（Media Access Control）部
１１・・ＰＨＹ（Physical Layer）部
１２・・ＡＣ−ＤＣ変換電源部
１３・・結合回路部
１４・・ＲＸフィルタ／ＴＸフィルタ／ＴＸアンプ部
１５・・ＡＤＣ／ＤＡＣ部
２１・・プリンタ装置
２２・・ＰＬＣコントローラ
３０・・電源線
３１・・ＬＡＮケーブル
３２・・プラグ
３３・・電源コンセント
３５・・コネクタ
３６・・タイマー設定手段
【図１】
2011051095.tif 000003
【図２】
2011051095.tif 000004
【図３】
2011051095.tif 000005
【図４】
2011051095.tif 000006
【図５】
2011051095.tif 000007
【図６】
2011051095.tif 000008
【図７】
2011051095.tif 000009
【図８】
2011051095.tif 000010
【図９】
2011051095.tif 000011